(57)【要約】  楽器トリガと共に使用するためのトリガトレイが開示される。トリガトレイは、ドラムヘッド又はドラムパッドなどの演奏面の下のドラムアセンブリ内にフィットすることができる。トリガは、ドラムヘッド又はドラムパッドに接続することができ、又はトリガトレイの振動によって作動させることができる。トリガトレイは、その下部又は底部にカットアウトを含むことができる。トリガトレイは、実質的に円形のヘッドマウント部と、その中にトリガマウント部分とを含むことができ、ヘッドマウント部をトリガマウント部に接続する複数のアームを有していてもよい。【選択図】図１Ａ
2020502579.tif 000002
【特許請求の範囲】
【請求項１】
実質的に円形のヘッドマウント部と；
前記ヘッドマウント部内にあるトリガマウント部と；
前記トリガマウント部を前記ヘッドマウント部に接続する複数のアームと
を備えたトリガトレイ。
【請求項２】
前記トリガマウント部が前記ヘッドマウント部の中央にある、請求項１に記載のトリガトレイ。
【請求項３】
前記複数のアームが３つ又はそれ以上のアームを含んでいる、請求項１に記載のトリガトレイ。
【請求項４】
前記複数のアームの各々は、代替演奏面を保持するように構成された取り付け面を含んでいる、請求項１に記載のトリガトレイ。
【請求項５】
前記取り付け面の各々は、それぞれのアームの２つ又はそれ以上のプロングによって形成された平面である、請求項４に記載のトリガトレイ。
【請求項６】
前記取り付け面上に代替演奏面を更に備えている、請求項４に記載のトリガトレイ。
【請求項７】
複数の調節要素を更に備え、
前記調節要素の各々は、前記代替演奏面のサイズに合わせるように前記アームのうちの１つの少なくとも一部に沿ってスライド可能であり、
前記調節要素の各々は、前記代替演奏面を実質的に保持するように所定の位置に固定することができる、
請求項１に記載のトリガトレイ。
【請求項８】
前記アームは、前記ヘッドマウント部から前記トリガマウント部分へ概ね下方に傾斜している、請求項１に記載のトリガトレイ。
【請求項９】
前記ヘッドマウント部は、その下部にカットアウトを画定するように形成されている、請求項１に記載のトリガトレイ。
【請求項１０】
壁を含んだドラムシェルであって、前記壁はベアリングエッジを含んでいるドラムシェルと；
トリガマウント部と、ヘッドマウント部と、前記ヘッドマウント部を前記トリガマウント部に接続する複数のアームとを含んだトリガトレイであって、前記ヘッドマウント部が前記壁上にあるトリガトレイと；
前記トリガトレイ上にあるドラムヘッドと
を備えたドラムアセンブリ。
【請求項１１】
前記ヘッドマウント部は、その底面にカットアウトを画定するように形成されている、請求項１０に記載のドラムアセンブリ。
【請求項１２】
前記ベアリングエッジが前記カットアウト内にある、請求項１１に記載のドラムアセンブリ。
【請求項１３】
前記トリガマウント部上にトリガを更に備え、前記トリガは前記ドラムヘッドの下部に接続されている、請求項１０に記載のドラムアセンブリ。
【請求項１４】
前記ヘッドマウント部及び前記ベアリングエッジは実質的に円形である、請求項１０に記載のドラムアセンブリ。
【請求項１５】
前記トリガマウント部は、前記ヘッドマウント部の実質的に中央にある、請求項１０に記載のドラムアセンブリ。
【請求項１６】
前記ドラムヘッド上にドラムフープを更に備えている、請求項１０に記載のドラムアセンブリ。
【請求項１７】
前記アームは、前記トリガマウント部が前記ドラムヘッドの下にあり且つ前記トリガマウント部の高さが前記ベアリングエッジの高さよりも低くなるように、前記ヘッドマウント部から前記トリガマウント部へ概ね下方に傾斜している、請求項１０に記載のドラムアセンブリ。
【請求項１８】
壁と；
前記壁上のトリガトレイと；
前記トリガトレイ上のドラムヘッド又はドラムパッドと
を備えたドラムアセンブリであって、
前記トリガトレイは、前記ドラムヘッド又はドラムパッドの下にトリガを保持するように構成され、
前記トリガトレイと前記ドラムヘッド又はドラムパッドとは、前記ドラムヘッド又はドラムパッドの振動が前記トリガトレイに伝達されるように機械的に連結されている、ドラムアセンブリ。
【請求項１９】
トリガを更に備えている、請求項１８に記載のドラムアセンブリ。
【請求項２０】
前記トリガは、前記ドラムヘッド又はドラムパッドの下部に接続されている、請求項１９に記載のドラムアセンブリ。
【請求項２１】
前記トリガトレイは、前記壁上にある実質的に円形のヘッドマウント部を含んでいる、請求項１８に記載のドラムアセンブリ。
【請求項２２】
前記ヘッドマウント部は、カットアウトを画定するように形成されている、請求項２１に記載のドラムアセンブリ。
【請求項２３】
前記ヘッドマウント部の底部は前記壁のベアリングエッジ上にある、請求項２２に記載のドラムアセンブリ。
【請求項２４】
トリガを更に含み、
前記トリガは、前記トリガトレイに伝達される前記ドラムヘッド又はドラムパッドの振動によって作動するように構成されている、請求項１８に記載のドラムアセンブリ。
【発明の詳細な説明】
【技術分野】
【０００１】
この出願は、「打楽器用トリガトレイ」と題され、２０１６年１２月２１日に出願された、米国仮特許出願第６２，４３７，６０９号の優先権の利益を主張する。また、この出願は、「打楽器用トリガトレイ」と題され、２０１７年１２月１９日に出願された、米国非仮特許出願第１５／８４７，５５７号の優先権の利益を主張する。これら各々の明細書、クレーム及び図面の全体は、ここに参照によって完全に組み込まれる。
本開示は、一般に、電子打楽器に関連して使用されるトリガなどの、楽器に関連して使用されるトリガと共に使用するための装置に関する。
【背景技術】
【０００２】
ドラムトリガは、打楽器の作動、打撃、及び／又は振動に基づいて、電子的、非音響的、及び／又は他の不自然な音を生成するために使用される装置である。典型的なセットアップでは、トリガは、打楽器の表面に近接して及び／又は打楽器の表面上に配置され、使用者によって作動されたときに振動する。例えば、トリガは、ドラムリム又はドラムヘッドの上面に配置することができる。ユーザがドラムヘッド又はドラムリムを作動させると、ヘッド又はリムは物理的に動くが、その典型的な動きの種類は振動である。トリガは、この振動を受信及び／又は認識し、電気信号、電圧、及び／又は電流などの信号を、サウンドモジュール又は同様の装置に送信する。次いで、サウンドモジュールは、信号の特性に基づいて特定のサウンドを生成する。生成された音は、音響的に演奏される楽器の自然音（例えばスネアドラム音）と類似又は同じであってもよく、及び／又は、音響音だけでは十分に高い音量を有さない場合には、増幅目的にも使用され得る。或いは、生成された音は、自然な音響的に生成された音とは異なり得る。例えば、トリガされたスネアドラムを作動させると、ベル音が生成することもあり得る。ＲＴ−１０Ｋアコースティックドラムトリガ及びＴＤ−５０サウンドモジュールなど、多くの異なるトリガ及びモジュールが当該技術分野において知られており、両方ともＲｏｌａｎｄ（登録商標）から入手可能である。
【０００３】
トリガは、種々のパーカッションスタイルの楽器など、様々な楽器で使用できる。例えば、トリガは、スネア又はバスドラムなどの伝統的なアコースティックドラムと共に使用することができ、ホスト機器によって生成されたアコースティックサウンドに加えて、トリガされたサウンドを生成することができる。トリガはまた、メッシュヘッド装置と共に使用することもできる。これは、ユーザによる作動の際に、比較的小さいアコースティックサウンドを発生するか、又は、実質的に全くアコースティックサウンドを発生しないように設計されている。トリガはまた、一般的に、電子ドラムパッドと共に使用されることが多い。電子ドラムパッドは、トリガされた電子音に加えて、比較的小さいアコースティックサウンドを発生するか、又は、実質的に全くアコースティックサウンドを発生しないように設計されている。
【発明の概要】
【０００４】
本開示は、音楽トリガと共に使用するためのトリガトレイ又は類似の装置（本明細書では、簡単にするためにまとめて「トリガトレイ」と呼ぶ）に関する。トリガトレイは、ドラムヘッド、メッシュヘッド、電子ドラムパッド、又はその他の打楽器と組み合わせて使用することができる。トリガトレイは、ホスト楽器の演奏面の下にくるように取り付けることができる。
【０００５】
本開示によるトリガトレイの一実施形態は、実質的に円形のヘッドマウント部と、ヘッドマウント部内のトリガマウント部と、トリガマウント部とヘッドマウント部とを接続する複数のアームとを含んでいる。
【０００６】
本開示によるドラムアセンブリの一実施形態は、ベアリングエッジを有する壁を備えたドラムシェルと、トリガマウント部、ヘッドマウント部、及びヘッドマウント部とトリガマウント部とを接続する複数のアームを有するトリガトレイとを含んでいる。ヘッドマウント部は壁上にあり、ドラムヘッドはトリガトレイ上にある。
【０００７】
本開示によるドラムアセンブリの別の実施形態は、壁と、壁上のトリガトレイと、トリガトレイ上のドラムヘッド又はドラムパッドとを含んでいる。トリガトレイは、ドラムヘッド又はドラムパッドの下にトリガを保持するように構成されており、トリガトレイとドラムヘッド又はドラムパッドとは、ドラムヘッドの振動がトリガトレイに伝達されるように機械的に連結されている。
【０００８】
これは、以下の詳細な説明がよりよく理解されるように、本開示の特徴及び技術的利点をやや広く概説したものである。本開示の更なる特徴及び利点を以下に説明する。当業者は、本開示が、本開示と同じ目的を実行するための他の構造を修正又は設計するための基礎として容易に利用され得ることを理解するべきである。また、そのような同等の構成は、添付の特許請求の範囲に記載されるような本開示の教示から逸脱しないことも当業者によって理解されるべきである。その構成及び動作方法の両方に関して本開示の特徴であると考えられる新規の特徴は、更なる特徴及び利点と共に、添付の図面と併せて考慮することにより、以下の説明からよりよく理解されるであろう。しかしながら、各図は、例示及び説明のみを目的として提供されており、本開示の外延を規定するものとして意図されたものではないことは、明確に理解されるべきである。
【図面の簡単な説明】
【０００９】
【図１Ａ】本開示の一実施形態によるトリガトレイの斜視図。
【図１Ｂ】本開示の一実施形態によるトリガトレイの斜視図。
【図１Ｃ】本開示の一実施形態によるトリガトレイの斜視図。
【００１０】
【図２Ａ】本開示の一実施形態によるドラムパッドアセンブリの一部の上に設置されたトリガトレイの斜視図。
【図２Ｂ】本開示の一実施形態によるドラムパッドアセンブリの一部の上に設置されたトリガトレイの斜視図。
【図２Ｃ】本開示の一実施形態によるドラムパッドアセンブリの一部の上に設置されたトリガトレイの斜視図。
【００１１】
【図３Ａ】本開示の２つの実施形態によるトリガトレイ配置の一部の拡大切欠図。
【図３Ｂ】本開示の２つの実施形態によるトリガトレイ配置の一部の拡大切欠図。
【００１２】
【図４Ａ】本開示によるトリガトレイ及びドラムパッドアセンブリの一部の分解図。
【図４Ｂ】図４Ａに示すトリガトレイ及びドラムパッドアセンブリの一部の組立図。
【００１３】
【図５】本開示によるトリガトレイを含むドラムアセンブリの斜視図。
【発明を実施するための形態】
【００１４】
本開示は、打楽器と共に使用するためのトリガトレイに関し、より具体的には電子部品を含む打楽器と共に使用するためのトリガトレイに関する。トリガトレイは、ドラムシェルの壁又は同様の装置に取り付けるための円形のヘッドマウント部を含むことができる。また、トリガトレイは、電子式トリガを取り付けることができるトリガマウント部を更に含むことができる。トリガは、その後、ワイヤを介して又はトリガトレイ自体を介して、ドラムヘッドなどの人によって演奏されるドラムの一部に機械的に接続することができる。トリガトレイの振動又は他の種類の信号などを通じたドラムヘッドの振動は、トリガを作動させることができる。トリガトレイのヘッドマウント部は、その下部にカットアウトを含むことができる。これは、軽量化を可能とし、及び／又は、ドラムシェルウォールへの接続に使用することができる。トリガトレイのアーム、例えば３つ又はそれ以上のアームは、ヘッドマウント部をトリガマウント部に接続することができる。これらのアームは、ヘッドマウント部からトリガマウント部へと下方に傾斜していてもよい。
【００１５】
ここで、ある要素が別の要素の「上に」あると言及されるとき、それは、他の要素の上に直接存在することも可能であり、又は、介在要素が更に存在することもあり得る。さらに、ある要素が別の要素に「接続されている」と言及されるとき、それは、他の要素に直接接続されていることも可能であり、又は、当業者によって理解されるように、介在要素が更に存在することもあり得る。さらに、「内側（ｉｎｎｅｒ）」、「外側（ｏｕｔｅｒ）」、「上側（ｕｐｐｅｒ）」、「上部（ｔｏｐ）」、「上に（ａｂｏｖｅ）」、「下側（ｌｏｗｅｒ）」、「底部（ｂｏｔｔｏｍ）」、「下部に（ｂｅｎｅａｔｈ）」、「下に（ｂｅｌｏｗ）」、及び類似の用語を含む相対的な用語が、ある要素と別の要素との関係を説明するために、本明細書中で使用され得る。「より高い（ｈｉｇｈｅｒ）」、「より低い（ｌｏｗｅｒ）、「より広い（ｗｉｄｅｒ）」、「より狭い（ｎａｒｒｏｗｅｒ）」、及び類似の用語を含む用語が、位置関係及び／又は角度関係を説明するために、本明細書中で使用され得る。これらの用語は、図に実際に示されている向きのみならず、要素又はシステムの異なる向きを包含することを意図している。
【００１６】
本明細書では、第１、第２、などの用語を使用して様々な要素、部材、領域、及び／又はセクションを説明することがあるが、これらの要素、部材、領域、及び／又はセクションは、これらの用語によって限定されるべきではない。これらの用語は、ある要素、部材、領域、及び／又はセクションを他と区別するためにのみ使用されている。したがって、特に明記しない限り、以下で論じる第１の要素、部材、領域、及び／又はセクションは、本開示の教示から逸脱することなく、第２の要素、部材、領域、及び／又はセクションと呼ぶことも可能である。
【００１７】
本開示の実施形態は、概略図である各図を参照しながら本明細書に記載される。したがって、要素の実際の厚さは異なることがあり、例えば製造技術及び／又は公差の結果として、図の形状からの変動が予想される。したがって、図に示される要素は本質的に概略的であり、それらの形状は必ずしも領域の正確な形状を示すことを意図するものではなく、本開示の範囲を限定することを意図するものでもない。
【００１８】
図１Ａ及び図１Ｂは、本開示の一実施形態によるトリガトレイ１００の一例を示す。図１Ａ乃至図１Ｃに示すように、トリガトレイ１００は、トリガマウント部１０２、ヘッドマウント部１０４、並びに、トリガマウント部１０２とヘッドマウント部１０４との間にあってもよく、それらを接続してもよく、及び／又は、ヘッドマウント部１０４の内部にあってもよいアーム１０６などの様々な構成要素を含み得る。
【００１９】
トリガマウント部１０２は、その上にトリガ（図示せず）を配置することができるトリガマウント面１０２ａを含むことができる。トリガは、トリガマウント面１０２ａなどのトリガマウント部１０２に恒久的又は取り外し可能に取り付けることができ、トリガマウント面１０２ａなどのトリガマウント部１０２に緩く配置することができ、あるいは直接又は間接的にトリガマウント部１０２と接触させることができる。トリガマウント部１０２は、トリガトレイ１００、ヘッドマウント部１０４、及びアーム１０６の配置のほぼ中央にあるように示されている。しかしながら、トリガマウント部１０２は中央位置になくてもよく、トリガトレイ１００の他の場所に配置されてもよい。更に、トリガマウント部１０２は、ヘッドマウント部１０４及びアーム１０６と区別可能なトリガトレイ１００の一部分として示されているが、他の実施形態では、別個のトリガマウント部が存在しなくてもよい。例えば、１つ又は複数のアーム１０６の一部（例えば、トリガトレイ１００及び／又はヘッドマウント部１０４の中央などの複数のアーム１０６が交わる領域）は、トリガマウント部として機能することができる。或いは、ヘッドマウント部１０４の一部が、トリガマウント部として機能してもよい。更に、単一のトリガマウント部１０２が図示されているが、（別個の要素として、又は他の要素の一部として、又はそれらの組み合わせとして）２つ又はそれ以上のトリガマウント部をトリガトレイ１００に含めることができる。そのような一実施形態では、ドラムヘッド又は他の要素の異なる部分を叩くことによって、異なるトリガを起動することができ、それによって、それぞれ異なる音を生成させることができる。トリガマウント部１０２は円形／環状として示されているが、楕円形、規則的又は不規則的な多角形などを含むがこれらに限定されない任意の形状とすることができる。
【００２０】
トリガトレイ１００などの本開示によるトリガトレイは、１本、２本、３本、４本、５本、６本、又はそれ以上のアームを含む、任意の数のアーム１０６を含むことができる。ここで、３つ目のアームは、全体的な安定性に優れた効果をもたらす。図示されている特定の実施形態では、５本のアームが含まれている。アーム１０６は、図１Ｂに最もよく示されているように、ヘッドマウント部１０４から内側へ、例えばヘッドマウント部１０４からトリガマウント部１０２へ、内側に移動するにつれて、概ね下向きに角度を付けることができる。この下向きの角度は、トリガマウント部１０２及び／又はトリガがその上のドラムヘッド又はドラムパッドの下に適切な距離を置くことを可能にする。アーム１０６は、互いに等間隔に配置することができ、互いに等しくない間隔に配置することもできる。
【００２１】
図２Ａ乃至図２Ｃは、ドラムパッドアセンブリ２００に取り付けられたトリガトレイ１００を示す。ドラムパッドアセンブリ２００は、ドラムパッドベース２０２、ドラムパッドウォール２０４、及びドラムパッド（図示せず；トリガトレイ１００の直上及び／又は上部に配置される）を含むことができる。図から分かるように、トリガトレイ１００は、ドラムパッドの下に実質的に又は完全に隠れていてもよく、トリガは、ドラムパッドの下面に取り付けられているか又はドラムパッドの下面と接触していてもよい。ドラムパッドの下側（又はドラムヘッドやドラムリムなどの任意の作動装置の下側）へのトリガの取り付けは、より確実であり、演奏面からトリガが偶然に外れる可能性を減らし得るため、従来技術と比べて明確な利点を有している。
【００２２】
図３Ａは、壁又はマウント３５０（本明細書では簡単にするために「壁」と呼ぶ）に近接しているトリガトレイ３００の一部を示す。トリガトレイ３００は、前述のトリガトレイ１００と同一又は類似であり得る。壁３５０は、例えば、ドラムパッドウォール２０４と同じ又は類似のドラムパッドウォール、ドラムシェルウォール、又はその類似物であり得る。図３Ａは、トリガトレイ３００のヘッドマウント部３０４及び１つのアーム３０６を示しており、トリガトレイ３００の残りの部分は示されていない。図から分かるように、ヘッドマウント部３０４は、カットアウト（切り欠き）３１０を画定するように成形された断面を有し得る。カットアウト３１０は、図示されているようにヘッドマウント部３０４の底部若しくは下面にあってもよく、又は他の場所にあってもよい。カットアウト３１０は、壁３５０のベアリングエッジ（支持縁部）３６０を収容するように形作られてもよい。カットアウト３１０は、（外側エッジから内側エッジへと）下方に傾斜した（伝統的なベアリングエッジ用に設計された）上部内面３１２及び上部外面３１３と、２つの垂直側面内面３１４及び３１６とを有するように描かれている。ベアリングエッジ３６０は、実質的に長方形の断面を有するように描かれている。しかしながら、カットアウト３１０及びベアリングエッジ３６０の両方について、多くの異なる形状が可能であり、両者の形状は同じ（例えば両方とも長方形）であってもよく、（例えば図示されているように）互いに異なっていてもよい１つの部品が別の部品に収まるオス／メス様式の接続など、種々の異なった接続が可能である。例えば、一実施形態では、内壁／内表面３１４／３１６は、壁３５０及びベアリングエッジ３６０のように、壁及び／又はベアリングエッジの周りにぴったりとはまっていてもよい。このような構成は、安定性を向上させ得る。図３Ａでは、トリガトレイ３００は、壁３５０を越えてわずかに持ち上がっているように示されているが、トリガトレイ３００は、カットアウト３１０の上部内面３１２がベアリングエッジの表面に載るように、位置を下げることができる。図示されている特定の実施形態では、ヘッドマウント部３０４がベアリングエッジ３６０を収容するためのカットアウト３１０を含むが、他の構成要素がベアリングエッジを収容するためのカットアウトを含むこともできる。或いは、カットアウトは含まれていなくてもよい。例えば、一実施形態では、トリガトレイはヘッドマウント部を含まず、及び／又は、ヘッドマウント部が不要となるように、複数のアームがベアリングエッジに取り付けるためのカットアウトを含んでいてもよい。カットアウト３１０のようなカットアウトを含めることにより、トリガトレイ全体の重量をより軽くすることができる。また、トリガトレイは、必ずしもカットアウトを含んでいる必要はなく、カットアウトを有するトリガトレイは、必ずしもベアリングエッジを覆うカットアウトを有するドラム側壁を覆うように設計される必要はない。トリガトレイは、その代わりに、単にベアリングエッジ３６０の直上及び／又は上部に載ることができる。壁３５０、ベアリングエッジ３６０、及びヘッドマウント部３０４は、すべて、円形などの実質的に同じ形状とすることができる。或いは、これらは、互いに異なった形状とすることもできる。
【００２３】
トリガはまた、カットアウト３１０などのカットアウトに配置することもできる。これは、スネアドラムリムなどのリムの作動、即ち「リムショット」に基づいた作動を検出することを目的としたトリガに特に適用可能であり得る。
【００２４】
本開示によるトリガトレイ及びトリガトレイのカットアウトは、多くの異なった角度を有する多くの異なったタイプのベアリングエッジのために設計されていてもよい。例えば、長方形の、伝統的な（即ち下向きに傾斜した）、二重の（即ち特定の点に到る２つの傾斜を含む）、丸みを帯びた（即ち丸みを帯びた上部を含む）、傾斜部分と丸みを帯びた部分の両方を含む組み合わせ（例えばＳｏｎｉＣｌｅａｒ（登録商標）ベアリングエッジ）などを非限定的に含む様々なタイプ、並びに、４５°、６０°、４５°と６０°の間、３５°と７０°の間、及び他の角度など、様々な角度を有し得る。トリガトレイのカットアウトは、長方形のベアリングエッジ又はＳｏｎｉＣｌｅａｒベアリングエッジなどの実質的に平坦な上面を有するベアリングエッジを収容するように形作ることができる。
【００２５】
他の実施形態では、ヘッドマウント部は、カットアウトを含まなくてもよく、及び／又は、単にベアリングエッジの上に配置され、他の手段を用いて固定されてもよい。例えば、そのようなトリガトレイは、図５に関して以下に記載される方法を使用して固定され得る。図３Ｂは、ベアリングエッジ３６０上に置かれて載せられるトリガトレイ３７０の一部分の一実施形態を示す。トリガトレイ３７０の底部３９０は、ベアリングエッジ３６０上に載っている。図示されている特定の実施形態では、トリガトレイ３７０は、ベアリングエッジ３６０上に載っている、カットアウト３８０と外壁３８５の底部３９０とを含んでいるが、内壁３８７の底部はベアリングエッジ上に載っていてもよく、或いは、カットアウトは含まれず、トリガトレイ３７０の底部がベアリングエッジ３６０上に載っていてもよい。多くの異なる実施形態が可能である。カットアウト３８０のようなカットアウトを含めることは、カットアウトを含まないトリガトレイよりも軽量の装置をもたらすという点で有益であり得る。
【００２６】
図１乃至図３Ｂに示す実施形態を非限定的に含む本開示の実施形態は、１つ又は複数のバンパ要素を、カットアウト内若しくはその直下、及び／又はベアリングエッジ上に含むこともできる。そのようなバンパ要素は、ベアリングエッジ３６０のようなベアリングエッジを保護することができ、また、取り付けを助けることもできる。そのようなバンパ要素は弾性材料を含むことができる。バンパ要素はまた、バンパ要素を含む嵌合がよりぴったりしたものになり得るという点で、側壁とトリガトレイとの間の接続を安定させるのを助けることができる。本開示によるバンパ要素の一例は、ゴム製のバンパ要素である。
【００２７】
図４Ａ及び図４Ｂは、トリガトレイ４００及び壁４５０の別の例を示しており、ヘッドマウント部４０４は、壁４５０のベアリングエッジ４６０の上部又は直上に嵌合している。トリガトレイ４００及び壁４５０は、図４Ａでは分離して示されているが、図４Ｂは、トリガトレイ４００が壁４５０と係合した状態を示しており、ヘッドマウント部４０４がベアリングエッジ４６０に係合している及び／又はベアリングエッジ４６０に装着されている状態を示している。
【００２８】
図５は、本開示によるドラムアセンブリ５９０を示し、このドラムアセンブリ５９０は、トリガトレイ５００を含んでいる。本開示によるトリガトレイは、金属、プラスチック、複合材料、及び／又は他の材料から作製され得るか、又は、それらを含み得る。トリガトレイ５００は、例えばトリガトレイ１００など、先に図示又は説明したトリガトレイの何れかと同じでもよく、何れとも異なっていてもよい。トリガトレイ５００は、トリガマウント部５０２（これはトリガマウント面５０２ａを含み得る）、ヘッドマウント部５０４、及び１つ又はそれ以上のアーム５０６を含み得る。トリガマウント部５０２、ヘッドマウント部５０４、及び／又はアーム５０６は、それぞれ、トリガマウント部１０２、ヘッドマウント部１０４、及びアーム１０６など、前述の対応する構成要素と同じ又は類似のものとすることができる。図示されているように、トリガトレイ５００は、ドラムシェル５５０上（例えばドラムシェルウォール）に、トリガトレイ５００の上又は上部に置かれたドラムヘッド５６０と共に（例えばヘッドマウントの上及び／又は上部に）装着されてもよい。また、ドラムフープ５７０（例えば、Ｄｒｕｍ  Ｗｏｒｋｓｈｏｐ（登録商標）から入手可能なＴｒｕｅ  Ｈｏｏｐ（登録商標）など）がドラムヘッド５６０上に置かれていてもよい。その後、アセンブリ５００は、当技術分野で知られているようにテンションロッドを使用するなどの方法で、固定され得る。いくつかの実施形態では、トリガトレイは、振動が演奏面からトリガトレイに伝達されるように、演奏面に機械的に連結することができる。このように、トリガは、必ずしもドラムヘッド自体に直接接続される必要はなく、代わりにトリガトレイから振動を受けることができる。他の実施形態、例えば、トリガがワイヤ又はドラムヘッドへの他の接続（その下面など）を介して振動を受ける場合など、が可能であり、これらの機構の組み合わせも可能である。物理的接続及び電子的接続（例えば無線接続）の両方が可能である。トリガマウント部５０２がドラムヘッド５６０の下にあるように、及び／又は、トリガマウント部５０２がドラムシェル／ウォールなどのベアリングエッジよりも低い高さにあるように、アーム５０６は、トリガトレイ１００に関して前述したように、概して下向きに角度を付けることができる。
【００２９】
上の記載では、ドラムパッドウォール又はドラムシェルウォールなどの他の装置上にトリガトレイを取り付けることを記載しているが、本開示によるトリガトレイは、壁から独立して使用するように設計することもできる。例えば、トリガトレイ１００（図１Ａ乃至図２Ｃに示される）は、複数の平坦面１５０を含み得る。図示されている特定の実施形態では、平坦面は、各アーム１０６の３つのプロング１５２によって形成されている。しかしながら、平坦面は、プロングのないアーム自体によって、アームごとに２つのプロングによって、アームごとに４つ以上のプロングによって、１つ又は複数のアームの広い領域によって、レッジによって、ヘッドマウント部１０４のレッジによって、並びに他の多くの装置及び形状によってなどの他の手法によっても形成され得る。図示の実施形態では、他の実施形態も可能であるが、平坦面は、トリガトレイ１００の中心からほぼ等距離にある。ドラムパッド、ドラムヘッド、ドラムメッシュなどの円形／環状の演奏面（又は異なる形状の演奏面）を平坦面１０６上に配置及び／又は取り付けて、トリガ演奏面を提供することができる。１つの平坦面、２つの平坦面、４つの平坦面、又はそれ以上の平坦面も可能であるが、典型的には、３つ又はそれ以上の平坦面１５０がそのような演奏面に十分な安定性を提供することができる。代替演奏面が平坦面１５０上などのトリガトレイ１００上に取り付けられるような実施形態では、振動は、演奏面からトリガに直接伝達することができ、及び／又は、トリガの１つ又は複数の部分を通して、例えば、平坦面１５０、アーム１０６、及び／又はトリガマウント部１０２を通じて、伝達することができる。前述のものを含むがこれに限定されない他の接続も可能である。この特定の実施形態は、代替演奏面を取り付けるために使用することができる補助的な取り付け面として平坦面を説明しているが、傾斜面などの非平坦取り付け面を使用することもできる。平坦面１５０に近接及び／又は隣接する壁１５４は、代替演奏面を収容及び／又は固定するのを助けることができる。壁１５４は、垂直にすることも、別の形態で角度を付けることもできる。
【００３０】
いくつかの実施形態では、本開示によるトリガトレイは、代替演奏面のサイズに合わせてそれを所定の位置に保持するための調節装置を含むことができる。例えば、１つ又はそれ以上の要素を１つ又はそれ以上のアーム１０６及び／又はプロングに取り付けることができる。次に、これらの調整要素をそれぞれのアーム及び／又はプロングに沿ってスライドさせることができ、及び／又は別の演奏面を所定の位置に保持し、それが意図せずにずれるのを防ぐために所定位置に固定することができる。これらの調整要素は、壁１５４と同様の壁を含むことができ、それは代替演奏面を収容及び／又は固定するのを助けることができる。一実施形態では、ヘッドマウント部は含まれていない。
【００３１】
さらに、トリガトレイ１００は、多くの異なるサイズのドラムを収容することができるように調整可能であり得る。Ｓｉｋｒａらに共同で割り当てられた「ばね調節及び他の特徴を備えたドラムスタンドバスケット」と題する米国発明特許出願公開第２０１６／０２１０９４３号（米国特許出願第１５／０２２３７３号；米国特許第９７２１５４９号）は、その全体がここで引用により組み込まれるが、この文献は、本開示に適用することができる３つ又はそれ以上のアームを利用するシステムを記載している。例えばバネ及びロックシステムを介して調節可能な長さを有する１つのアームと、調節可能な環状位置を有する２つのアームを使用することによって、異なる大きさのドラムを収容するようにアームを様々な異なる位置に調節できる。３つより少ない又は３つより多いアームが可能であり、１つより多いバネ付きアーム、及び、２つより少ないか又はそれより多い環状に調整可能なアームも可能である。一実施形態では、ヘッドマウント部は含まれず、アームはベアリングエッジを収容するためのカットアウトを含み、アームは異なるドラムサイズに合うように調節可能である。一実施形態では、上述したような調整可能なアームが含まれ、及び／又は、より大きな断面積を持ち定位置に固定されている部分に滑り込む及び／又は当該部分から滑り出ることができるより小さい断面の部分を含めることなどによって調節可能な半径を有するヘッドマウント部が含まれる。別の実施形態では、複数のアームがバネ付きであり、所定の位置に固定することができる。多くの異なる実施形態が可能である。
【００３２】
本開示によるトリガトレイは、前述のものに加えて、先行技術に対して明らかな利点を有し得る。例えば、ユーザは、（異なる種類のトリガのための様々な装着プロセスとは対照的に）トリガ取り付けの１つのプロセス、即ち、トレイへのトリガの取り付け及びホスト装置上へのトレイの取り付けを学ぶだけでよい。本開示によるトリガトレイを設置するために穿孔又は他の固定方法は必要ではない。本開示によるトリガトレイは、ほとんどのアコースティックドラム及びパッドなどを電子ドラムに変換することができる。本開示によるトリガトレイは、その全体が参照により本明細書に完全に援用されるＹｏｓｈｉｎｏらに付与された米国特許第７，３８５，１３５号に記載及び／又は開示されている要素を組み込むことができる。
【００３３】
本開示は、その特定の好ましい構成を参照して詳細に説明されてきたが、他のバージョンも可能である。したがって、本開示の趣旨及び範囲は、上記のバージョンに限定されるべきではない。
【図１Ａ】
2020502579.tif 000003
【図１Ｂ】
2020502579.tif 000004
【図１Ｃ】
2020502579.tif 000005
【図２Ａ】
2020502579.tif 000006
【図２Ｂ】
2020502579.tif 000007
【図２Ｃ】
2020502579.tif 000008
【図３Ａ】
2020502579.tif 000009
【図３Ｂ】
2020502579.tif 000010
【図４Ａ】
2020502579.tif 000011
【図４Ｂ】
2020502579.tif 000012
【図５】
2020502579.tif 000013
【国際調査報告】
2020502579.tif 000014